(57)【要約】      （修正有）【課題】体積が小さく、携帯に便利なカードリーダーを提供する。【解決手段】カードリーダーのベース１内部に収容空間１１があり、一側に電子装置のＵＳＢポート内に挿入できるＵＳＢ型式の金属ケース１２が連設され、該金属ケース内の電気接続部と該ＵＳＢポートが電気的に導通し、該電気接続部２２は電気モジュール２が設置され且つベースの収容空間内に設置され、該電気接続部の下方に挿入空間２３２が設けられ、該挿入空間内に複数の端子２３１が設けられ、電子カード３が挿入されて電気モジュールと電気的に導通し、さらに電気モジュールに金属ケースが組み合わされて電子装置のＵＳＢポートと電気的に導通し、データの伝送を行なえる。【選択図】図２
0003158420.tif 000002
【実用新案登録請求の範囲】
【請求項１】
電子カードが挿入されてデータ伝送に使用されるカードリーダーにおいて、該カードリーダーはベースと電気モジュールで構成され、
該ベースの一側にＵＳＢ型式の金属ケースが設けられ、該ベースの内部が該金属ケース内部の収容空間に連通し、
該電気モジュールは該ベース、該金属ケースの収容空間内に収容され、並びに該金属ケースの内部に対応する位置に対向型式の挿入溝と電気的に接続される電気接続部が設けられ、該電気接続部の下方に、複数の端子が設けられて挿入された電子カードと電気的接続を形成可能な挿入空間が形成されたことを特徴とするカードリーダー。
【請求項２】
請求項１記載のカードリーダーにおいて、該ベースの一側に設けられたＵＳＢ型式の金属ケースは、ＵＳＢ型式の雄型プラグ或いは雌型ソケットとされ、該収容空間は該金属ケース内部に接続空間を具え、且つ該金属ケースの底部に切欠きを具えたことを特徴とするカードリーダー。
【請求項３】
請求項１記載のカードリーダーにおいて、該電気モジュールの電気接続部はＵＳＢ型式に符合する金属接点とされると共に、一側に複数の電子部品を具えた回路板が連設されたことを特徴とするカードリーダー。
【請求項４】
請求項１記載のカードリーダーにおいて、該電気モジュールの電気接続部の下方に絶縁フレームが設けられ、該絶縁フレームの底部に挿入空間が形成され、該挿入空間に対応する絶縁フレームの位置に複数の端子が固定され、該複数の端子は該電気モジュールに電気的に接続されたことを特徴とするカードリーダー。
【請求項５】
請求項１記載のカードリーダーにおいて、該ベース内部の収容空間にあって該ベース近くの内側面に凸部と、該凸部の側辺に係止溝が設けられ、該収容空間の該金属ケースの一側に、該凸部に対応し係合する嵌め止め体と、該係止溝内に係合される係止体が設けられ、該収容空間にあって該ベースの別側面に、カード退出キーを収容する貫通状のスロットが設けられ、該カード退出キーの底部に電子カードの前縁を保持する押動体が設けられ、該収容空間にあって該金属ケースの二側に少なくとも一組の係合孔が設けられ、該少なくとも一組の係合孔に該絶縁フレームの二側の少なくとも一組の弾性係止部が係合されることを特徴とするカードリーダー。
【請求項６】
請求項５記載のカードリーダーにおいて、該金属ケースの側辺の嵌め止め体に、該凸部と係合する嵌め止め孔が設けられたことを特徴とするカードリーダー。
【請求項７】
請求項１記載のカードリーダーにおいて、該ベース内部の該収容空間にあって該金属ケースの一側に位置制限凹溝が設けられ、該位置制限凹溝の底部の二側に位置決め係止溝が設けられ、該位置決め係止溝の別側に嵌合溝が設けられ、該位置決め係止溝に該電気モジュールの絶縁フレームの二側に設けられた位置決め係止部が係合され、該嵌合溝に該絶縁フレームの二側の嵌合凸部が嵌合され、該絶縁フレームの表面に凹状の位置決め嵌め溝が設けられ、該位置決め嵌め溝の一側に、突出する弾性位置制限体と弾性空間を形成可能な凹部が隣り合うように形成されたことを特徴とするカードリーダー。
【考案の詳細な説明】
【技術分野】
【０００１】
本考案は一種のカードリーダーに係り、特に電子カード挿入後に電子装置のＵＳＢポートに挿入されてデータ伝送を行なうことができ、カードリーダーのＵＳＢ型式の電気接続部の下方に電子カードが挿入され、有効にカードリーダーの空間を利用し、カードリーダーの体積を縮小し、並びに携帯使用に便利なカードリーダーに関する。
【背景技術】
【０００２】
テクノロジー時代の訪れにより、大量の電子、電気製品が市場、生活に溢れ、更にデジタル化されたハイテクノロジー時代へと進んでおり、各種の電子、電気製品、例えば、デジタルテレビ、デジタルビデオカメラ、携帯電話、ＭＰ３プレイヤー、ＭＰ４プレイヤー、デジタルテレビ、デスクトップ型コンピュータ、ＰＤＡ、デジタルレコーダー等は多機能設計へと向い、且つ電子製品の使用時に記憶が必要なテキストデータ、或いは静態、動態のオーディオビデオデータはいずれも電子カード（メモリカード）により記録、記憶される。メモリカードは、大きく、ＭＭＣ（Ｍｕｌｔｉ  Ｍｅｄｉａ  Ｃａｒｄ）、ＳＤ（登録商標）カード、スマートメディア（登録商標）カード、コンパクトフラッシュ（登録商標）カード、メモリースティック（登録商標）カード、及びそれらを基礎として改良して得られた系列のメモリカード、ミニ電子カード、マイクロ電子カードがあり、使用時には更にカードリーダーで電子カード中の記憶、保存された電子信号を読み取る。現在利用されているカードリーダー型式は、外接式のものは絶縁シート内部に電子カードスロットが設けられ、且つ電子装置と電気的に接続されるケーブル、コネクタが設けられている。しかし、体積が大きく携帯するのに不便で、一部のカードリーダーは駆動プログラムを利用しなければ使用できず、実用性は理想的ではない。
【０００３】
特許文献１に記載のカードリーダーは図１０に示されるように、カードリーダーＡの上ケースＡ１が上開口Ａ１１を具え、且つ該上ケースＡ１と組み合わされる下ケースＡ２が設けられ、該下ケースＡ２に上開口Ａ１１と対向する下開口Ａ２１が設けられ、上ケースＡ１、下ケースＡ２内にプリント回路板Ｂが収容され、該プリント回路板ＢにＵＳＢ端子部Ｂ１が設けられ、プリント回路板Ｂの上開口Ａ１１と下開口Ａ２１にアラインする位置に、メモリカード端子部Ｂ２が設けられ、メモリカードが上開口Ａ１１と下開口Ａ２１より挿入され、カード読み出し作業が行なわれる。しかし、このカードリーダーは実際の使用時に、例えば以下のような欠点を有している。
（１）カードリーダーＡ内部のプリント回路板Ｂの一側にＵＳＢ端子部Ｂ１が設けられ、別側にメモリカード端子部Ｂ２が設けられるため、カードリーダーＡの長さが長くなり、体積が大きくなり、携帯、使用に不便である。
（２）カードリーダーＡのメモリカード挿入に供される上開口Ａ１１と下開口Ａ２１は上ケースＡ１と下ケースＡ２の側辺に設けられ、カードリーダーＡが電子装置に挿入される時、メモリカードの抜き差しの不便を形成し得る。
【先行技術文献】
【特許文献】
【０００４】
【特許文献１】台湾実用新案公告第Ｍ２８１２３９号（台湾実用新案出願第９４２１２９９３号）
【考案の概要】
【考案が解決しようとする課題】
【０００５】
ゆえに、如何に上述の従来の技術のメモリカード挿入の空間が形成する、体積の増大と抜き差しの不便の問題を解決するかが、当業者の研究開発の方向である。
【０００６】
本考案は体積が小さく、携帯に便利なカードリーダーを提供することを目的とする。
【課題を解決するための手段】
【０００７】
本考案のカードリーダーは、ベース内部に収容空間があり、一側に電子装置のＵＳＢポート内に挿入できるＵＳＢ型式の金属ケースが連設され、該金属ケース内の電気接続部と該ＵＳＢポートが電気的に導通し、該電気接続部は電気モジュールが設置され且つベースの収容空間内に設置され、該電気接続部の下方に挿入空間が設けられ、該挿入空間内に複数の端子が設けられ、電子カードが挿入されて電気モジュールと電気的に導通し、さらに電気モジュールに金属ケースが組み合わされて電子装置のＵＳＢポートに挿入されて、電気的に導通し、データの伝送を行なえ、カードリーダーの空間を有効利用し、体積を縮小する目的を達成する。
【考案の効果】
【０００８】
本考案はカードリーダーのベース、ＵＳＢ型式の金属ケースの設計に対し、金属ケース内の接続空間を利用して電気モジュールと電子カードを収納し、有効に金属ケースの有限空間を利用し、並びにカードリーダーの体積を縮限することを主要な権利保護の重点とし、カードリーダーの携帯、使用に便利としており、カードリーダーに電子カードを挿入し、並びにカードリーダーの既存の体積を拡大することがなく、並びに外部電子装置に安定して差し込め、並びに電子製品の軽薄短小の設計理念に符合する。
【図面の簡単な説明】
【０００９】
【図１】本考案の立体外観図である。
【図２】本考案の立体分解図である。
【図３】本考案の側面断面図である。
【図４】本考案の好ましい実施例の立体分解図である。
【図５】本考案の好ましい実施例の側面断面図である。
【図６】本考案の別の好ましい実施例の立体分解図である。
【図７】本考案の別の好ましい実施例の側面断面図である。
【図８】本考案の更に別の好ましい実施例の立体分解図である。
【図９】本考案の更に別の好ましい実施例の側面断面図である。
【図１０】周知の技術の立体分解図である。
【考案を実施するための形態】
【００１０】
図１、２、３は本考案の立体外観図、立体分解図、側面断面図である。これらの図から明らかであるように、本考案のカードリーダーは、ベース１、電気モジュール２で構成されている。該ベース１内部には収容空間１１があり、且つ一側にＵＳＢ型式の金属ケース１２が形成され、該ベース１内部の収容空間１１は金属ケース１２の内部に連通し、該収容空間１１は金属ケース１２内に接続空間１２１を有し、金属ケース１２の底部に切欠き１２２が設けられている。
【００１１】
該電気モジュール２は複数の電子部品が設けられた回路板２１を具え、該回路板２１の一側に電気接続部２２が形成され、且つ該電気接続部２２にＵＳＢ型式に符合する複数の金属接点２２１が設けられ、該回路板２１及び電気接続部２２の下方に絶縁フレーム２３が設けられ、該絶縁フレーム２３に複数の端子２３１が設けられ、並びに該絶縁フレーム２３の底部に挿入空間２３２が設けられている。
【００１２】
上述の構成要件を組み合わせる時、ベース１、金属ケース１２内部の収容空間１１を利用して電気モジュール２を収納し、並びに電気モジュール２の電気接続部２２を金属ケース１２内部の接続空間１２１に延伸、設置し、電気モジュール２の絶縁フレーム２３底部の挿入空間２３２を、金属ケース１２底部の切欠き１２２にアラインさせ、こうして本考案のカードリーダーを構成する。
【００１３】
電気モジュール２の回路板２１には複数の位置決め孔２１１が設けられ、絶縁フレーム２３にはこれに対応して複数の位置決め柱２３３が設けられ、該位置決め孔２１１と該位置決め柱２３３の組合せにより、該回路板２１と該絶縁フレーム２３が組み合わされる。
【００１４】
図２、３と共に図４、５の本考案の好ましい実施例の立体分解図、好ましい実施例の側面断面図を参照されたい。図示されるように、該カードリーダーのベース１、金属ケース１２内の収容空間１１は金属ケース１２内部の接続空間１２１と電気モジュール２の絶縁フレーム２３の底部の挿入空間２３２まで延伸され、該電子カードは電気モジュール２下方の挿入空間２３２内に挿入されて、電子カード３の複数の金属接点３１がそれぞれ絶縁フレーム２３上の各端子２３１と電気的接続を形成し、これによりカードリーダーのＵＳＢ型式の金属ケース１２が電子装置４の対応する挿入溝４１に挿入され、電子装置４（例えばデスクトップ型コンピュータ、ノートブック型コンピュータ、ＰＤＡ、多機能事務機等）とカードリーダー内の電子カード３（例えばマイクロＳＤ（登録商標）カード）のデータが双方向伝送される（読み出し或いは保存）。
【００１５】
該カードリーダーのベース１の一側にプラスチック一体射出成形（Ｉｎｓｅｒｔ  Ｍｏｌｄｅｒ）により金属ケース１２が設けられ、電気モジュール２の電気接続部２２と組み合わされて、ＵＳＢ型式のコネクタ（雄型或いは雌型とされ得る）が形成され、並びに収容空間１１を利用して金属ケース１２の底部の接続空間１２１と、絶縁フレーム２３底部に延伸された挿入空間２３２が形成されて電子カード３が挿入される。並びに金属ケース１２の底部の切欠き１２２により電子カード３を挿入空間２３２及び接続空間１２１に抜き差しされる。電子カード３は金属ケース１２内部に位置し、並びに金属ケース１２以外の空間を占有しないため、有効にカードリーダーの体積を縮限でき、電子製品の軽薄短小の設計理念に符合し、並びに携帯使用に便利で場所をとらない。
【００１６】
図６、７に示されるのは、本考案の別の実施例の立体分解図、別の実施例の側面断面図である。この実施例では、カードリーダーはベース１、金属ケース１２内の収容空間１１において、ベース１の内側面に凸部１１１が設けられ、二側辺に係止溝１１２が設けられ、該凸部１１１に対応する金属ケース１２の外側辺に嵌め止め体１２３が設けられ、該嵌め止め体１２３に嵌め止め孔１２３１が設けられ、該嵌め止め体１２３の二側の金属ケース１２辺縁に係止体１２４が凸設され、金属ケース１２とベース１が組み合わされる時、該嵌め止め体１２３の嵌め止め孔１２３１と凸部１１１が嵌合され、且つ金属ケース１２の係止体１２４がベース１二側の係止溝１１２内に係合され、ベース１の凸部１１１に対向する別側面にスロット１３が設けられ、該スロット１３内にカード退出キー１４が設けられ、該カード退出キー１４の底部に押動体１４１が設けられている。電子カード３が金属ケース１２の接続空間１２１より電気モジュール２の挿入空間２３２に挿入され、並びに電子カード３の前端がカード退出キー１４の押動体１４１の側辺に保持され、電子カード３を抜き取りたい時は、ただスロット１３内にカード退出キー１４を押動体１４１を利用して押動させれば、電子カード３を挿入空間２３２及び接続空間１２１より退出させられ、カード抜き取り操作が簡単である。
【００１７】
さらに、電気モジュール２の絶縁フレーム２３の二側辺には、少なくとも一組の弾性係止部２３４が設けられ、弾性係止部２３４に対応する金属ケース１２の二側に少なくとも一組の係合孔１２５が設けられ、電気モジュール２が金属ケース１２の接続空間１２１内部に組み合わされる時、電気モジュール２の絶縁フレーム２３の二側に設けた弾性係止部２３４を金属ケース１２の二側の係合孔１２５内に嵌合することにより、電気モジュール２を金属ケース１２の接続空間１２１内に位置決めする。
【００１８】
図８、９は本考案のさらに別の実施例の立体分解図及び側面断面図である。図示されるように、本考案のカードリーダーはベース１、金属ケース１２内の収容空間１１が、ベース１内部の二側壁面に延伸されて、位置制限係止溝１１３が形成され、金属ケース１２の位置制限凹溝１２６がベース１の位置制限係止溝１１３に係合されることで、金属ケース１２の二側の位置制限凹溝１２６底部に、位置決め係止溝１２７がそれぞれ設けられ、さらに別の二側辺にそれぞれ嵌合溝１２８が設けられ、電気モジュール２の絶縁フレーム２３の二側の前後にそれぞれ位置決め係止部２３５、嵌合凸部２３６が設けられ、且つ絶縁フレーム２３の表面に位置決め嵌め溝２３７が凹設され、並びに位置決め嵌め溝２３７の一側に弾性位置制限体２３８が設けられ、弾性位置制限体２３８の上方に凹部２３９が設けられ、絶縁フレーム２３に電気モジュール２の回路板２１、電気接続部２２が取付けられ、回路板２１、電気接続部２２が絶縁フレーム２３の位置決め嵌め溝２３７内に係止され、さらに電気モジュール２が金属ケース１２の接続空間１２１内に取付けられ、絶縁フレーム２３の二側の位置決め係止部２３５がそれぞれ金属ケース１２の位置決め係止溝１２７内に係合され、絶縁フレーム２３の二側の嵌合凸部２３６が金属ケース１２の二側の嵌合溝１２８内に係合され、ならびに絶縁フレーム２３の弾性位置制限体２３８が金属ケース１２の接続空間１２１内の外部近くの側辺に凸置されて、金属ケース１２の接続空間１２１内に電子カード３が挿入される時、電子カード３の外側端が絶縁フレーム２３の弾性位置制限体２３８部分に抑えられて、挿入不確実な電子カードのずれ現象が発生せず、電子カード３抜き取り時には、弾性位置制限体２３８を上向きに回し、凹部２３９の弾性空間と組み合わせて電子カード３を接続空間１２１より抜き取ることができる。
【００１９】
以上は本考案の好ましい実施例の説明であって、本考案の請求範囲を限定するものではなく、本考案のカードリーダーは、ベース１の一側にＵＳＢ型式の金属ケース１２が設けられ、ならびにベース１及び金属ケース１２内部に電気モジュール２が固定され、金属ケース１２内部の接続空間１２１、電気モジュール２の挿入空間２３２に電子カード３を挿入でき、並びにＵＳＢ型式の金属ケース１２と外部電子装置４のＵＳＢポートを電気的に接続でき、こうして金属ケース１２内部の電気モジュール２と外部電子装置４の電気的導通を達成し、双方向データ伝送の目的を達成し、並びに金属ケース１２底部の接続空間１２１に電気モジュール２及び電子カード３を収納でき、こうしてカードリーダーの体積縮小の目的を達成し、カードリーダーを携帯、使用に便利としている。前述の説明に基づき、同様の効果を達成できる構造、装置はいずれも本考案の請求範囲内に属する。
【００２０】
上述の本考案のカードリーダーを実際に使用する時は、以下のような長所を有する。
（１）カードリーダーのベース１の一側にＵＳＢ型式の金属ケース１２が設けられ、並びに金属ケース１２内の接続空間１２１を利用して、電気モジュール２及び電子カード３を収容でき、金属ケース１２内部の有限空間を利用し、並びにカードリーダーの全体体積を縮限し、電子製品の軽薄短小の設計概念及び訴求に符合する。
（２）カードリーダーの金属ケース１２の接続空間１２１内に電子カード３が挿入され、カードリーダーのその他の方向に電子カード３を挿入する必要がなく、カードリーダーの挿入位置の制限による影響を受けず、実用性が良好である。
【００２１】
以上は本考案の好ましい実施例の説明に過ぎず、本考案の請求範囲を限定するものではなく、本考案の明細書及び図面の内容に基づきなし得る簡易な修飾及び同じ効果を達成できる構造変化はいずれも本考案の請求範囲内に属する。
【符号の説明】
【００２２】
１  ベース
１１  収容空間              １２４  係止体
１１１  凸部                １２５  係合孔
１１２  係止溝              １２６  位置制限凹溝
１１３  位置制限係止溝      １２７  位置決め係止溝
１２  金属ケース            １２８  嵌合溝
１２１  接続空間            １３  スロット
１２２  切欠き              １４  カード退出キー
１２３  嵌め止め体          １４１  押動体
１２３１  嵌め止め孔
２  電気モジュール
２１  回路板                ２３３  位置決め柱
２１１  位置決め孔          ２３４  弾性係止部
２２  電気接続部            ２３５  位置決め係止部
２２１  金属接点            ２３６  嵌合凸部
２３  絶縁フレーム          ２３７  位置決め嵌め溝
２３１  端子                ２３８  弾性位置制限体
２３２  挿入空間            ２３９  凹部
３  電子カード
３１  金属接点
４  電子装置
４１  挿入溝
Ａ  カードリーダー
Ａ１  上ケース        Ａ２  下ケース
Ａ１１  上開口        Ａ２１  下開口
Ｂ  プリント回路板
Ｂ１  ＵＳＢ端子部    Ｂ２  メモリカード端子部
【図１】
0003158420.tif 000003
【図２】
0003158420.tif 000004
【図３】
0003158420.tif 000005
【図４】
0003158420.tif 000006
【図５】
0003158420.tif 000007
【図６】
0003158420.tif 000008
【図７】
0003158420.tif 000009
【図８】
0003158420.tif 000010
【図９】
0003158420.tif 000011
【図１０】
0003158420.tif 000012
【手続補正書】
【提出日】平成22年1月27日(2010.1.27)
【手続補正１】
【補正対象書類名】実用新案登録請求の範囲
【補正対象項目名】請求項５
【補正方法】変更
【補正の内容】
【請求項５】
請求項１記載のカードリーダーにおいて、該ベース内部の収容空間にあって該ベース近くの内側面に凸部と、該凸部の側辺に係止溝が設けられ、該収容空間の該金属ケースの一側に、該凸部に対応し係合する嵌め止め体と、該係止溝内に係合される係止体が設けられ、該収容空間にあって該ベースの別側面に、カード退出キーを収容する貫通状のスロットが設けられ、該カード退出キーの底部に電子カードの前縁を保持する押動体が設けられ、該収容空間にあって該金属ケースの二側に少なくとも一組の係合孔が設けられ、該少なくとも一組の係合孔に該電気モジュールの絶縁フレームの二側の少なくとも一組の弾性係止部が係合されることを特徴とするカードリーダー。